(57)【要約】【課題】取っ手を取り付ける貫通穴を使った不正行為を防止しつつ、スロットマシンの基体部から取っ手を簡単に取り外せるようにし、その基体部を容易に再利用できるようにする。【解決手段】左右の両側面板金５１にそれぞれ貫通穴５５が形成されており、側面板金５１の表面５１ａ側から貫通穴５５に挿入され、内面側に凹部７１が形成された凸状の取っ手本体７０と、取っ手本体７０に着脱自在に取り付けられ、貫通穴５５に挿入された取っ手本体７０に対し、側面板金５１の裏面５１ｂ側から取っ手本体７０の抜けを防止する抜止め部材８０とを備える。【選択図】図６
2014076301.tif 000002
【特許請求の範囲】
【請求項１】
筐体の一部を構成し、前面側が開口する箱形の基体部と、
前記基体部に設けられ、前記筐体を把持するための凹部が形成された取っ手と
を備える遊技機の筐体であって、
前記基体部は、左右の両側面にそれぞれ貫通穴が形成されており、
前記取っ手は、
前記基体部の外側から前記貫通穴に挿入され、内面側に前記凹部が形成された凸状の取っ手本体と、
前記取っ手本体に着脱自在に取り付けられ、前記貫通穴に挿入された前記取っ手本体に対し、前記基体部の内側から前記取っ手本体の抜けを防止する抜止め部材と
を備えることを特徴とする遊技機の筐体。
【発明の詳細な説明】
【技術分野】
【０００１】
本発明は、筐体の一部を構成し、前面側が開口する箱形の基体部と、この基体部に設けられ、筐体を把持するための凹部が形成された取っ手とを備える遊技機の筐体に係るものである。そして、詳しくは、遊技機の基体部から取っ手を簡単に取り外せるようにし、基体部を容易に再利用できるようにした技術に関するものである。
【背景技術】
【０００２】
遊技機の一種であるスロットマシンの筐体は、前面側が開口する箱形の基体部と、基体部の前面側に設けられ、基体部の開口を覆う開閉自在のフロントマスク部とによって構成されている。また、スロットマシンの運搬、設置等に便利なように、基体部には、筐体を把持するための取っ手が設けられている。そして、スロットマシン（筐体）は、取っ手を把持されて運搬され、遊技店の島設備に設置される。設置されたスロットマシンは、フロントマスク部が基体部の開口を覆った閉状態で遊技に供される。
【０００３】
ここで、基体部には一般的に、取っ手を取り付けるために、両側面に貫通穴が形成されている。すなわち、貫通穴に取っ手を挿入して取り付けるようになっている。そして、取り付けた取っ手が簡単に取り外せたり、取っ手によって貫通穴が塞がれていなければ、フロントマスク部を閉じていても、この貫通穴から何らかの道具（例えば、針金等）が差し込まれ、筐体内に設けられた制御基板の入出力信号等に対して外部から不正な信号が付与等されるおそれがある。これにより、本来の遊技と異なる適正でない遊技が実行されることとなる。
【０００４】
このような不正行為は、スロットマシンが設置島に横並びで収容された後であっても行なわれることがある。例えば、筐体が設置島から引き出されたり、隣接する筐体間に隙間が存在していれば、その隙間や貫通穴を通して筐体内にＬ字状にしたワイヤ等が挿入されてしまう。そのため、スロットマシンの運搬時等だけでなく、設置後においても、貫通穴を使った不正が行なわれることがある。
【０００５】
そこで、取っ手を取り付ける貫通穴を使った不正行為を防止できるように、取っ手が取り付けられると貫通穴が塞がれるようにした技術が知られている。具体的には、貫通穴と基体部の内部とを遮断する取っ手カバーを基体部の内側から取り付けるようにした技術である（例えば、特許文献１参照）。
【０００６】
また、凹室を形成したカバー部材（取っ手）を用い、基体部の貫通穴とカバー部材の凹室とが連通するようにして、カバー部材を基体部の内側から取り付けるようにした技術も知られている（例えば、特許文献２参照）。
【先行技術文献】
【特許文献】
【０００７】
【特許文献１】特開２００５−２９６０２９号公報
【特許文献２】特開２００３−１３５６５４号公報
【発明の概要】
【発明が解決しようとする課題】
【０００８】
しかし、上記の特許文献１及び特許文献２の技術では、基体部の内側から取っ手カバーやカバー部材をネジで固定しているため、その取付けに時間がかかるだけでなく、取り外すときも容易ではない。そのため、新しいスロットマシンに対し、旧式になったスロットマシンの基体部を再利用しようとする際に、面倒なものとなってしまう。また、取っ手を溶接で固定したスロットマシンもあるが、この場合には、ネジ止め以上に再利用が困難になる。
【０００９】
一方、取っ手の上下に複数の爪を設け、それぞれの爪を貫通穴の内側に引っ掛けることにより、基体部に取っ手を取り付けられるようにしたスロットマシンも知られている。このような取っ手であれば、ネジ止めや溶接が不要になるので、基体部への取っ手の取付けが簡単になる。
【００１０】
図８は、このような従来の取っ手１７０の取付け方法を示す斜視図である。
図８に示すように、従来の取っ手１７０は、内面側に把持用の凹部１７１が形成された凸状のものであり、樹脂で一体成型されている。そして、スロットマシンの基体部の側面を構成する側面板金５１に形成された貫通穴５５に対し、側面板金５１の表面５１ａ側から取っ手１７０を挿入して固定するようになっている。
【００１１】
ここで、取っ手１７０には、貫通穴５５の周囲に当接するフランジ部１７２と、側面板金５１の板厚に合わせてフランジ部１７２から離れて位置する複数の爪１７３とが設けられている。そして、各爪１７３は、凹部１７１の上側に２箇所と下側に２箇所の合計４つあり、その側面から見た形状は、フランジ部１７２側が高くその反対側が低い傾斜面を有するくさび状のものとなっている。
【００１２】
このような取っ手１７０を側面板金５１に取り付けるには、図８（ａ）に示すように、凹部１７１の底側を貫通穴５５に向け、矢印のようにして側面板金５１の表面５１ａ側から取っ手１７０を挿入すればよい。これにより、各爪１７３が貫通穴５５の上下に接触するようになるが、さらに挿入を続けると、取っ手１７０が樹脂成型品であることから凹部１７１がつぶれるように弾性変形する。そのため、各爪１７３は、貫通穴５５を通り抜けられるようになり、図８（ｂ）に示すように、最終的に側面板金５１の裏面５１ｂ側に各爪１７３が位置するようになる。
【００１３】
また、各爪１７３が貫通穴５５を通り抜けると、フランジ部１７２が貫通穴５５の周囲に当接する。さらにまた、つぶれるように弾性変形していた凹部１７１が元の形状に復帰する。そして、フランジ部１７２と各爪１７３との間隔が側面板金５１の板厚に合わせられているので、フランジ部１７２及び各爪１７３は、側面板金５１の表面５１ａ及び裏面５１ｂをはさみ込む。したがって、この取っ手１７０は、貫通穴５５に挿入するだけで取付けが完了する。
【００１４】
このように、図８に示す従来の取っ手１７０は、側面板金５１に簡単に取り付けることができる。しかし、側面板金５１から取っ手１７０を取り外すことは、容易ではない。具体的には、取外す際は、側面板金５１の裏面５１ｂ側で、各爪１７３が同時に貫通穴５５を通り抜けられるように凹部１７１を変形させなければならない。また、凹部１７１を変形させながら、取っ手１７０を側面板金５１の表面５１ａ側に向けて押し出さなければならない。そのため、ある程度の高さの爪１７３を有する取っ手１７０を取り外す際には、取り付ける場合よりもかなり大きな力を必要とする。そして、側面板金５１から取っ手１７０を無理に押し出すと、爪１７３が破損したり、貫通穴５５を変形させてしまうので、取っ手１７０やスロットマシンの基体部の再利用等が困難になる。
【００１５】
一方、各爪１７３の高さを低くしておけば、取っ手１７０の取外しが容易になる。しかも、爪１７３の破損や貫通穴５５の変形の問題が解消され、基体部の再利用等が可能になる。しかし、爪１７３の高さが低いと、側面板金５１の表面５１ａ側から取っ手１７０を引っ張って取り外すことも容易になる。これにより今度は、取っ手１７０が勝手に取り外されてしまい、貫通穴５５を使った不正行為が行われるおそれが生ずる。そのため、爪１７３の高さを低くすることは、実際にはできない。
【００１６】
したがって、本発明が解決しようとする課題は、取っ手を取り付ける貫通穴を使った不正行為を防止しつつ、スロットマシンの基体部から取っ手を簡単に取り外せるようにし、その基体部を容易に再利用できるようにすることである。
【課題を解決するための手段】
【００１７】
本発明は、以下の解決手段によって上述の課題を解決する。
第１の解決手段は、筐体の一部を構成し、前面側が開口する箱形の基体部と、前記基体部に設けられ、前記筐体を把持するための凹部が形成された取っ手とを備える遊技機の筐体であって、前記基体部は、左右の両側面にそれぞれ貫通穴が形成されており、前記取っ手は、前記基体部の外側から前記貫通穴に挿入され、内面側に前記凹部が形成された凸状の取っ手本体と、前記取っ手本体に着脱自在に取り付けられ、前記貫通穴に挿入された前記取っ手本体に対し、前記基体部の内側から前記取っ手本体の抜けを防止する抜止め部材とを備えることを特徴とする。
【００１８】
第２の解決手段は、第１の解決手段において、前記抜止め部材は、正面から見た形状が略凹状に形成されており、凹状の両先端部は、それぞれ外側に向けて開くように変形可能で、かつ前記取っ手本体に着脱自在に取り付けるための取付け片が形成されていることを特徴とする。
【００１９】
第３の解決手段は、第１又は第２の解決手段において、前記取っ手本体は、前記貫通穴の周囲の少なくとも一部に当接するフランジ部と、前記抜止め部材がはまり合うはめ合い部とを備えることを特徴とする。
【００２０】
第４の解決手段は、第１〜第３の解決手段において、前記抜止め部材は、前記貫通穴の周囲の少なくとも一部に当接する当接部を備えることを特徴とする。
【００２１】
（作用）
上記の発明において、取っ手は、基体部の外側から貫通穴に挿入され、内面側に凹部が形成された凸状の取っ手本体と、取っ手本体に着脱自在に取り付けられ、貫通穴に挿入された取っ手本体に対し、基体部の内側から取っ手本体の抜けを防止する抜止め部材とを備えている。そのため、取っ手本体に抜止め部材を装着すれば、貫通穴からの取っ手本体の抜けが防止され、基体部への取っ手本体の取付けが完了する。また、取っ手本体から抜止め部材を離脱させれば、貫通穴から取っ手本体が抜けるようになり、基体部から取っ手本体を取り外せるようになる。
【発明の効果】
【００２２】
本発明によれば、取っ手本体に対し、基体部の内側から抜止め部材を着脱させるだけで簡単に、基体部に取っ手本体を取り付けたり取り外したりすることができる。そのため、基体部の外側からは、取っ手本体の取外しが困難であるので、取っ手本体を挿入する貫通穴を使った不正行為を防止できる。また、基体部の内側からは、取っ手本体の取外しが容易であり、取外しの際に貫通穴を変形させることもないので、基体部を容易に再利用できるようになる。
【図面の簡単な説明】
【００２３】
【図１】本発明の遊技機の筐体を適用したスロットマシンを示す前面側の斜視図である。
【図２】図１に示すスロットマシンのフロントマスク部の施錠を解いた状態を示す斜視図である。
【図３】図１中、スロットマシンのフロントマスク部を開放し、基体部の内部が見えるように図示した正面図である。
【図４】図１に示すスロットマシンの筐体を構成する基体部を示す斜視図である。
【図５】図４に示す基体部に取り付けられる取っ手を示す斜視図である。
【図６】図５に示す取っ手の取付け方法を示す斜視図である。
【図７】図５に示す取っ手を取り付けた状態を示す斜視図である。
【図８】従来の取っ手の取付け方法を示す斜視図である。
【発明を実施するための形態】
【００２４】
以下、図面を参照して、本発明の実施形態について説明する。
なお、以下の実施形態では、本発明の遊技機の筐体として、図柄を表示したリールを有するスロットマシン１０の筐体を例に挙げて説明する。
【００２５】
図１は、本発明の遊技機の筐体を適用したスロットマシン１０を示す前面側の斜視図である。
また、図２は、図１に示すスロットマシン１０のフロントマスク部１２の施錠を解いた状態を示す斜視図である。
さらにまた、図３は、図１中、スロットマシン１０のフロントマスク部１２を開放し、基体部１１の内部が見えるように図示した正面図である。
図１から図３に示すように、スロットマシン１０の筐体は、基体部１１と、基体部１１の前面側に取り付けられた開閉自在のフロントマスク部１２とから構成されている。
【００２６】
ここで、基体部１１は、ステンレス製等の板金を組み立てるとともに、その板金の表面に化粧板を取り付け、前面側が開口する箱形に形成したものである。具体的には、基体部１１は、図２に示すように、左右の側面１１ａ、天面１１ｂ、底面１１ｃ、及び背面１１ｄによって前面側が開口する箱形となっており、スロットマシン１０の筐体の一部を構成する。そして、基体部１１の内部であって、その下方部には、図３に示すように、電源ユニット１０１と、ホッパータンク１０８に貯留されたメダルを払い出すメダル払出し装置１０２とが設けられている。
【００２７】
また、メダル払出し装置１０２の上方部には、リールベース１０３が固定されており、このリールベース１０３上に、リング状の３つのリール３１を並設した図柄変動表示装置３０が取り付けられている。そして、図柄変動表示装置３０における各リール３１の回転中心部には、ステッピングモータからなるリール３１の駆動用モータ（図示せず）がそれぞれ連結されており、各モータの駆動制御によって各リール３１が個別に回転するようになっている。
【００２８】
さらにまた、図柄変動表示装置３０の上方部には、メイン制御基板１０４が配置されている。このメイン制御基板１０４は、遊技の進行等の全体を制御する制御基板であり、図示はしないが、演算等を行うＣＰＵ、遊技プログラムを記憶したＲＯＭ、遊技用等のデータを一時的に記憶するＲＡＭ等を備えている。なお、メイン制御基板１０４は、外部からの不正を確実に防止できるように、透明なケース１０５内に収容された後にかしめされ、封印されている。
【００２９】
一方、フロントマスク部１２は、基体部１１の開口面を覆うようにして、基体部１１に開閉自在に取り付けられたものである。そのため、フロントマスク部１２は、スロットマシン１０の筐体の他の一部を構成する。そして、フロントマスク部１２には、図１に示すように、その前面側（遊技者側）に、ベットスイッチ４０、スタートスイッチ４１、ストップスイッチ４２、メダル投入口４３、メダル受け皿４４、及び施錠４５が配置されている。
【００３０】
このベットスイッチ４０は、メダル投入口４３からのメダルの投入と同様に、遊技者が貯留メダルを投入するときに操作するスイッチである。また、スタートスイッチ４１は、図３に示す図柄変動表示装置３０の各リール３１を回転始動させるときに遊技者が操作するスイッチである。さらにまた、各ストップスイッチ４２は、３つのリール３１に対応して３つ設けられ、対応する各リール３１を個別に停止させるときに遊技者が操作するスイッチである。さらに、施錠４５は、フロントマスク部１２を基体部１１に施錠し、フロントマスク部１２の不正な開放を防止するためのものである。
【００３１】
また、スタートスイッチ４１等の上方部には、遊技中における各種の演出が実行できるように、上部ランプ２１ａ及びサイドランプ２１ｂ、スピーカ２２、液晶表示器等からなる画像表示装置２３が設けられている。そして、フロントマスク部１２の中央部には、透明窓１３が設けられており、この透明窓１３から、基体部１１の内部の各リール３１（図３参照）が透視できるようになっている。
【００３２】
ここで、各リール３１（図３参照）の外周面には、複数の図柄（役を構成する図柄）を印刷したリールテープがそれぞれ貼り付けられている（図示せず）。具体的には、各リール３１には、リールテープによって２１個の図柄が表示されており、フロントマスク部１２の透明窓１３から、個々のリール３１において上下に連続する３つの図柄が見えるようになっている。そのため、透明窓１３からは、各リール３１の合計９個の図柄が透視できることとなる。そして、図柄組合せライン（各リール３１の停止時における図柄の並びラインであって図柄の組合せを形成させるライン）は、水平方向上段、中段、及び下段と、右下がり及び右上がりの斜め方向の各ラインの合計５本となっている。
【００３３】
また、フロントマスク部１２は、施錠４５にキーを差し込んで解くことにより、図２に示すように、基体部１１から開放することができる。なお、フロントマスク部１２には、図３に示すように、その上方部に、遊技中における演出を制御するサブ制御基板１０６が配置されている。
【００３４】
このサブ制御基板１０６は、図１に示す上部ランプ２１ａやサイドランプ２１ｂ等の点灯、スピーカ２２からのサウンド出力、画像表示装置２３による画像表示等の各種の制御を行う。そのため、演算等を行うＣＰＵ、演出プログラム及び演出用のデータを記憶したＲＯＭ、各種のデータを一時的に記憶するＲＡＭ等を備えている。なお、サブ制御基板１０６は、メイン制御基板１０４の下位に属する基板であり、メイン制御基板１０４とは、図示しないハーネス（電気配線）によって電気的に接続されている。そして、メイン制御基板１０４からサブ制御基板１０６に対して演出実行指令等が送信されるようになっている。
【００３５】
さらにまた、フロントマスク部１２の後面側（裏面側）の下方部には、メダル投入口４３（図１参照）に対応して、メダルセレクタ１１０が配置されている。このメダルセレクタ１１０は、投入されたメダルが遊技状態等に応じて受付け可能であるか否かを選別する装置であり、メダルの受付けができる場合には、投入されたメダルは、メダル誘導路１０７を介してホッパータンク１０８に誘導され、貯留される。逆に、メダルの受付けができない場合には、投入されたメダルは、メダル返却路１０９を介してメダル受け皿４４（図１参照）に誘導され、返却される。
【００３６】
このようなスロットマシン１０において、遊技を開始するには、遊技者は、図１に示すベットスイッチ４０を操作して予め貯留されたメダルを投入するか、又はメダル投入口４３からメダルを投入し、スタートスイッチ４１を操作（オン）する。これにより、全てのリール３１が回転するように制御され、表示窓１３内で、各リール３１の図柄が所定の速度で上下方向に移動表示される。
【００３７】
その後、遊技者は、各ストップスイッチ４２を押すことで、各リール３１の回転を停止させることができる。すなわち、ストップスイッチ４２が操作されると、そのストップスイッチ４２に対応するリール３１が停止制御される。そして、全てのリール３１の停止時に、有効ライン上に停止した図柄の組合せが予め定められたいずれかの役の図柄の組合せと一致し、その役の入賞となったときは、成立役に応じてメダルの払出し等が行われる。なお、有効ラインとは、５本の図柄組合せラインのうち、いずれかの役に対応する図柄の組合せがそのラインに停止したときに、その役の入賞となるラインである。
【００３８】
ところで、このようなスロットマシン１０は、遊技店の島設備等に設置され、施錠４５により、基体部１１の開口をフロントマスク部１２で覆った閉状態で遊技に供される。そして、図２に示すように、スロットマシン１０の運搬、設置等に便利なように、基体部１１の左右の側面１１ａには、スロットマシン１０の筐体を把持するための取っ手６０が取り付けられている。
【００３９】
図４は、図１に示すスロットマシン１０の筐体を構成する基体部１１を示す斜視図である。
図４に示すように、基体部１１は、ステンレス製等の左右の側面板金５１、天面板金５２、底面板金５３、及び背面板金５４を組み立てて、前面側が開口する箱形にしたものである。そして、左右の側面板金５１の間には、取っ手６０を避けるようにしてリールベース１０３が固定されている。
【００４０】
ここで、左右の側面板金５１には、それぞれ貫通穴５５が形成されている。そして、この貫通穴５５に、取っ手本体７０及び抜け止め部材８０によって構成される取っ手６０が取り付けられるようになっている。そのため、取っ手６０を使うことにより、基体部１１を把持して運搬等することができる。なお、側面板金５１の表面には、化粧板（図示せず）が取り付けられて基体部１１の側面１１ａ（図２参照）となるが、この化粧板にも、取っ手６０に対応する位置に貫通穴が形成されている。
【００４１】
図５は、図４に示す基体部１１に取り付けられる取っ手６０を示す斜視図である。
図５に示すように、取っ手６０は、スロットマシン１０（図１参照）の筐体を把持するための取っ手本体７０と、基体部１１からの取っ手本体７０の抜けを防止する抜け止め部材８０とを備えている。そして、取っ手本体７０は、樹脂で一体成型されたものであり、内面側に、基体部１１を把持するための凹部７１が形成された凸状のものとなっている。また、取っ手本体７０は、貫通穴５５（図４参照）の周囲に当接するフランジ部７２と、抜止め部材８０がはまり合うはめ合い部７３と、はめ合い部７３にはまり合った抜止め部材８０が当接する突起７４とを備えている。
【００４２】
一方、抜止め部材８０は、正面から見た形状が略凹状に形成されており、貫通穴５５（図４参照）の周囲に当接する当接部８１を備えている。また、抜止め部材８０の凹状の両端側は、取っ手本体７０のはめ合い部７３に挿入可能な挿入部８２となっており、凹状の両先端部には、それぞれ爪状の取付け片８３が内向きに形成されている。そして、抜止め部材８０は、樹脂で一体成型されているので、挿入部８２が適度な弾性を有している。そのため、凹状の両先端部（取付け片８３の部分）は、それぞれ外側に向けて開くように変形可能となっている。なお、抜止め部材８０の挿入部８２が取っ手本体７０のはめ合い部７３に完全に挿入されると、抜止め部材８０の取付け片８３は、取っ手本体７０の底面に引っかかる（図５（ｃ）参照）。
【００４３】
図６は、図５に示す取っ手６０の取付け方法を示す斜視図である。
図５に示す取っ手６０は、基体部１１（図４参照）を構成する側面板金５１の貫通穴５５に取り付けるものである。具体的には、図６（ａ）に示すように、取っ手本体７０の凹部７１の底側を貫通穴５５に向け、矢印のようにして側面板金５１の表面５１ａ側から取っ手本体７０を挿入する。これにより、取っ手本体７０は、はめ合い部７３及び突起７４が貫通穴５５を通り抜け、フランジ部７２が貫通穴５５の周囲に当接するようになる。
【００４４】
次に、図６（ｂ）に示すように、基体部１１（図４参照）を構成する側面板金５１の裏面５１ｂ側から抜止め部材８０を装着する。具体的には、貫通穴５５に挿入された取っ手本体７０は、はめ合い部７３及び突起７４が側面板金５１の裏面５１ｂ側に位置するようになっている。また、この裏面５１ｂと突起７４との間隔は、抜止め部材８０の厚さと一致している。そのため、貫通穴５５に挿入された取っ手本体７０に対し、図６（ｂ）に示す矢印のようにして裏面５１ｂに沿って抜止め部材８０を押し下げれば、取付け片８３がはめ合い部７３の上部に接触するようになる。
【００４５】
その後、さらに抜止め部材８０を押し下げると、挿入部８２の弾性によって取付け片８３がそれぞれ外側に向けて開くように変形する。そのため、取付け片８３及び挿入部８２がはめ合い部７３（裏面５１ｂと突起７４との間）に挿入される。そして、取付け片８３が取っ手本体７０の底面まで到達すると、外側に開いていた取付け片８３が挿入部８２の弾性によって元の位置に戻る。その結果、取付け片８３が取っ手本体７０の底面に引っかかるようになる（図５（ｃ）参照）ので、ネジ止めや溶接等をすることなく確実に抜止め部材８０の装着が完了する。
【００４６】
図７は、図５に示す取っ手６０を取り付けた状態を示す斜視図である。
図６に示すようにして取っ手本体７０に抜止め部材８０を装着すると、図７（ａ）に示すように、取っ手本体７０のフランジ部７２が側面板金５１の表面５１ａにぴったりと当接した状態で固定される。また、表面５１ａ側には、取っ手本体７０の凹部７１が位置するようになる。そのため、フランジ部７２によって貫通穴５５（図６参照）が完全に塞がれるとともに、凹部７１により、スロットマシン１０（図１参照）の筐体を把持できるようになる。
【００４７】
また、側面板金５１の表面５１ａ側から取っ手本体７０を引き抜こうとしても、図７（ｂ）に示すように、取っ手本体７０の突起７４が抜止め部材８０に当接し、抜止め部材８０の当接部８１が側面板金５１の裏面５１ｂに当接している。そのため、側面板金５１の表面５１ａ側からは、取っ手本体７０を引き抜くことができない。さらにまた、抜止め部材８０の取付け片８３が取っ手本体７０の底面に引っかかっているので、抜止め部材８０が取っ手本体７０から自然に外れるようなことはない。
【００４８】
したがって、側面板金５１に対して取っ手本体７０を簡単に取付けできるだけでなく、側面板金５１の表面５１ａ側からは、取っ手本体７０を取り外すことができなくなる。そのため、スロットマシン１０（図１参照）の筐体が設置島から引き出されたり、隣接する筐体間に隙間が存在していたとしても、取っ手本体７０の不正な取外しが防止される。また、取っ手本体７０が取り外されて貫通穴５５（図６参照）から何らかの道具（例えば、針金等）が差し込まれるという不正行為を防止できるようになる。
【００４９】
一方、取っ手本体７０を取り外す際は、抜止め部材８０の取付け片８３を指でつまんでそれぞれ外側に向けて開くようにする。この際、抜止め部材８０が弾性変形するので、取付け片８３は、弱い力でも簡単に開く。これにより、取っ手本体７０の底面に引っかかっていた取付け片８３が外れる。したがって、この状態で抜止め部材８０を真っ直ぐに引き上げれば、抜止め部材８０は、側面板金５１の裏面５１ｂと取っ手本体７０の突起７４との間でそのまま上に引き抜かれる。
【００５０】
このようにして抜止め部材８０を取っ手本体７０から離脱させた後は、側面板金５１の貫通穴５５（図６参照）から取っ手本体７０を抜き出すだけで、簡単に取り外すことができる。そして、取り外した取っ手本体７０や抜止め部材８０は、そのまま再利用が可能であり、新たな筐体（側面板金５１）に再び取り付けることができる。また、取っ手本体７０及び抜止め部材８０の取外しに際して、側面板金５１（貫通穴５５）を変形させたり破損させたりすることがないので、側面板金５１等によって構成されたスロットマシン１０（図１参照）の筐体を再利用できる。
【００５１】
以上、本発明の実施形態について説明したが、本発明は、上述した実施形態に限定されることなく、例えば、以下のような種々の変形が可能である。
（１）本実施形態では、本発明の遊技機の筐体として、スロットマシン１０の筐体に適用した例を示した。しかし、これに限ることなく、略箱形に形成された遊技機であって、特に不正行為防止が必要な遊技機に広く適用することができる。
【００５２】
（２）本実施形態では、取っ手を構成する抜止め部材８０は、正面から見た形状が略凹状に形成されているが、これに限ることなく、他の形状（例えば、略Ｕ形、略半円形状等）であってもよい。また、凹状の両先端部に形成された取付け片８３によって取っ手本体７０に着脱自在に取り付けるようにしているが、他の方法（例えば、取っ手本体に穴を設け、抜止め部材には、その穴にはまり込む突起を設ける等）によって着脱自在にしてもよい。
【符号の説明】
【００５３】
１０  スロットマシン（遊技機）
１１  基体部（筐体）
１１ａ  側面
１１ｂ  天面
１１ｃ  底面
１１ｄ  背面
１２  フロントマスク部（筐体）
１３  透明窓
２１ａ  上部ランプ
２１ｂ  サイドランプ
２２  スピーカ
２３  画像表示装置
３０  図柄変動表示装置
３１  リール
４０  ベットスイッチ
４１  スタートスイッチ
４２  ストップスイッチ
４３  メダル投入口
４４  メダル受け皿
４５  施錠
５１  側面板金
５１ａ  表面
５１ｂ  裏面
５２  天面板金
５３  底面板金
５４  背面板金
５５  貫通穴
６０  取っ手
７０  取っ手本体
７１  凹部
７２  フランジ部
７３  はめ合い部
７４  突起
８０  抜け止め部材
８１  当接部
８２  挿入部
８３  取付け片
１０１  電源ユニット
１０２  メダル払出し装置
１０３  リールベース
１０４  メイン制御基板
１０５  ケース
１０６  サブ制御基板
１０７  メダル誘導路
１０８  ホッパータンク
１０９  メダル返却路
１１０  メダルセレクタ
１７０  取っ手
１７１  凹部
１７２  フランジ部
１７３  爪
【図１】
2014076301.tif 000003
【図２】
2014076301.tif 000004
【図３】
2014076301.tif 000005
【図４】
2014076301.tif 000006
【図５】
2014076301.tif 000007
【図６】
2014076301.tif 000008
【図７】
2014076301.tif 000009
【図８】
2014076301.tif 000010
【手続補正書】
【提出日】平成25年10月11日(2013.10.11)
【手続補正１】
【補正対象書類名】特許請求の範囲
【補正対象項目名】全文
【補正方法】変更
【補正の内容】
【特許請求の範囲】
【請求項１】
筐体の一部を構成し、前面側が開口する箱形の基体部と、
前記基体部の内側に設けられ、リールを設置するためのリールベースと、
前記基体部に設けられ、前記筐体を把持するための取っ手と
を備える遊技機の筐体であって、
前記基体部は、前記リールベースより上方であって左右の両側面にそれぞれ貫通穴が形成されており、
前記取っ手は、
前記基体部の外側から前記貫通穴に挿入される取っ手本体と、
前記貫通穴に挿入された前記取っ手本体に対し、前記基体部の内側において上方から前記取っ手本体に取り付けられることにより前記取っ手本体の抜けを防止する抜止め部材と
を備え、
前記取っ手本体は、前記貫通穴の周囲に当接するフランジ部を有し、
前記取っ手本体が前記貫通穴に挿入され、かつ前記抜止め部材が前記取っ手本体に取り付けられたときは、前記基体部の外側において前記フランジ部が前記貫通穴の周囲に当接するように形成され、
前記抜止め部材は、弾性変形によって前記取っ手本体に係合する形態と前記取っ手本体との係合が解除される形態とに変形可能な取付け片を有し、
前記基体部の内側において、前記貫通穴に挿入された前記取っ手本体に対して前記抜止め部材を押し当てると、弾性変形により前記取付け片が前記解除される形態に一旦変形した後に前記係合する形態に変形して、前記抜止め部材が前記取っ手本体に取り付けられ、
前記取っ手本体が前記貫通穴に挿入され、かつ前記抜止め部材が前記取っ手本体に取り付けられたときは、前記基体部の外側からは、前記抜止め部材を前記取っ手本体から取り外すことができなくなり、
前記基体部の内側において、前記取っ手本体に係合した前記取付け片を前記解除される形態に弾性変形させると、前記抜止め部材を前記取っ手本体から取り外すことが可能になる
ことを特徴とする遊技機の筐体。
【手続補正２】
【補正対象書類名】明細書
【補正対象項目名】００１７
【補正方法】変更
【補正の内容】
【００１７】
本発明は、以下の解決手段によって上述の課題を解決する。
請求項１の発明は、
筐体の一部を構成し、前面側が開口する箱形の基体部と、
前記基体部の内側に設けられ、リールを設置するためのリールベースと、
前記基体部に設けられ、前記筐体を把持するための取っ手と
を備える遊技機の筐体であって、
前記基体部は、前記リールベースより上方であって左右の両側面にそれぞれ貫通穴が形成されており、
前記取っ手は、
前記基体部の外側から前記貫通穴に挿入される取っ手本体と、
前記貫通穴に挿入された前記取っ手本体に対し、前記基体部の内側において上方から前記取っ手本体に取り付けられることにより前記取っ手本体の抜けを防止する抜止め部材と
を備え、
前記取っ手本体は、前記貫通穴の周囲に当接するフランジ部を有し、
前記取っ手本体が前記貫通穴に挿入され、かつ前記抜止め部材が前記取っ手本体に取り付けられたときは、前記基体部の外側において前記フランジ部が前記貫通穴の周囲に当接するように形成され、
前記抜止め部材は、弾性変形によって前記取っ手本体に係合する形態と前記取っ手本体との係合が解除される形態とに変形可能な取付け片を有し、
前記基体部の内側において、前記貫通穴に挿入された前記取っ手本体に対して前記抜止め部材を押し当てると、弾性変形により前記取付け片が前記解除される形態に一旦変形した後に前記係合する形態に変形して、前記抜止め部材が前記取っ手本体に取り付けられ、
前記取っ手本体が前記貫通穴に挿入され、かつ前記抜止め部材が前記取っ手本体に取り付けられたときは、前記基体部の外側からは、前記抜止め部材を前記取っ手本体から取り外すことができなくなり、
前記基体部の内側において、前記取っ手本体に係合した前記取付け片を前記解除される形態に弾性変形させると、前記抜止め部材を前記取っ手本体から取り外すことが可能になる
ことを特徴とする。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】変更
【補正の内容】
【００２１】
（作用）
上記の発明において、取っ手は、基体部の外側から貫通穴に挿入される取っ手本体と、貫通穴に挿入された取っ手本体に対し、基体部の内側において上方から取っ手本体に取り付けられることにより取っ手本体の抜けを防止する抜止め部材とを備えている。また、抜止め部材は、弾性変形によって取っ手本体に係合する形態（係合形態）と取っ手本体との係合が解除される形態（解除形態）とに変形可能な取付け片を有している。
そして、基体部の内側において、貫通穴に挿入された取っ手本体に対して抜止め部材を押し当てると、弾性変形により取付け片が解除形態に一旦変形した後に係合形態に変形して、抜止め部材が取っ手本体に取り付けられる。
また、取っ手本体が貫通穴に挿入され、かつ抜止め部材が取っ手本体に取り付けられたときは、基体部の外側においてフランジ部が貫通穴の周囲に当接するとともに、基体部の外側からは、抜止め部材を取っ手本体から取り外すことができなくなる。そして、基体部の内側において、取っ手本体に係合した取付け片を解除形態に弾性変形させると、抜止め部材を取っ手本体から取り外すことが可能になる。
そのため、取っ手本体に抜止め部材を装着すれば、貫通穴からの取っ手本体の抜けが防止され、基体部への取っ手本体の取付けが完了する。また、取っ手本体から抜止め部材を離脱させれば、貫通穴から取っ手本体が抜けるようになり、基体部から取っ手本体を取り外せるようになる。
【手続補正７】
【補正対象書類名】明細書
【補正対象項目名】００２２
【補正方法】変更
【補正の内容】
【００２２】
本発明によれば、取っ手本体に対し、基体部の内側から抜止め部材を着脱させるだけで簡単に、基体部に取っ手本体を取り付けたり取り外したりすることができる。特に、貫通穴に挿入された取っ手本体に対して抜止め部材を押し当てると、弾性変形により取付け片が解除形態に一旦変形した後に係合形態に変形して、抜止め部材が取っ手本体に取り付けられる。また、取っ手本体に係合した取付け片を解除形態に弾性変形させると、抜止め部材を取っ手本体から取り外すことが可能になる。
そのため、基体部の外側からは、取っ手本体の取外しが困難であるので、取っ手本体を挿入する貫通穴を使った不正行為を防止できる。また、基体部の内側からは、取っ手本体の取外しが容易であり、取外しの際に貫通穴を変形させることもないので、基体部を容易に再利用できるようになる。